(57)【要約】【課題】ＩＳＤＮ回線から受信した信号を少ない遅延量で移動局へ無線送信することができる無線基地局を提供する。【解決手段】フレーマ回路３８は、ＩＳＤＮフレームの先頭位置のタイミングとＴＤＭＡ／ＴＤＤフレームの先頭位置のタイミングとの時間差を算出する。スロット選択部３６は、時間差およびディジタル回線終端部で受信した信号を処理するための処理遅延時間の合計に基づいて、内部遅延時間が最小となるＴＤＭＡ／ＴＤＤフレームの通話スロットを選択する。【選択図】図１
2013074520.tif 000002
【特許請求の範囲】
【請求項１】
ＩＳＤＮ回線から信号を受信し、移動局へ前記受信した信号を含むＴＤＭＡ／ＴＤＤフレームを無線送信するスレーブの無線基地局であって、
前記ＩＳＤＮ回線のＵ点インターフェースを終端制御するディジタル回線終端部と、
前記ＩＳＤＮ回線からＩＳＤＮフレームを受信し、前記ＩＳＤＮフレームに含まれるＢチャネルの信号を出力する回線インタフェースと、
受信したＩＳＤＮフレームの先頭位置のタイミングを検出する第１のフレーム検出部と、
送信するＴＤＭＡ／ＴＤＤフレームの先頭位置のタイミングを検出する第２のフレーム検出部と、
前記ＩＳＤＮフレームの先頭位置のタイミングと前記ＴＤＭＡ／ＴＤＤフレームの先頭位置のタイミングとの時間差を算出するフレーマ回路と、
前記時間差および前記ディジタル回線終端部で受信した信号を処理するための処理遅延時間の合計に基づいて、内部遅延時間が最小となる前記ＴＤＭＡ／ＴＤＤフレームの通話スロットを選択する選択部と、
連続する２つの前記ＩＳＤＮフレームのＢチャネルの信号を前記ＴＤＭＡ／ＴＤＤフレームの前記選択した通話スロットに割り当てる無線インタフェースと、
前記ＴＤＭＡ／ＴＤＤフレームの信号を無線信号に変換する無線モジュールとを備えた、無線基地局。
【請求項２】
ＩＳＤＮ回線から信号を受信し、移動局へ前記受信した信号を含むＴＤＭＡ／ＴＤＤフレームを無線送信するマスターの無線基地局であって、
前記ＩＳＤＮ回線のＵ点インターフェースを終端制御するディジタル回線終端部と、
前記ＩＳＤＮ回線からＩＳＤＮフレームを受信し、前記ＩＳＤＮフレームに含まれるＢチャネルの信号を出力する回線インタフェースと、
受信したＩＳＤＮフレームの先頭位置のタイミングを検出する第１のフレーム検出部と、
ＧＰＳ衛星から軌道情報を受信して、一定の周期の基準時刻信号を出力するＧＰＳモジュールと、
前記ＩＳＤＮフレームの先頭位置のタイミング、および前記ディジタル回線終端部で受信した信号を処理するための処理遅延時間の合計に基づいて、前記基準時刻信号に同期し、かつ内部遅延時間が最小となるタイミングで、選択したまたは予め定められた通話スロットの信号が送信されるように前記ＴＤＭＡ／ＴＤＤフレームの先頭位置のタイミングを選択する選択部と、
連続する２つの前記ＩＳＤＮフレームのＢチャネルの信号を前記ＴＤＭＡ／ＴＤＤフレームの前記通話スロットに割り当てる無線インタフェースと、
前記ＴＤＭＡ／ＴＤＤフレームの信号を無線信号に変換する無線モジュールとを備えた、無線基地局。
【請求項３】
前記ディジタル回線終端部は、前記ＩＳＤＮ回線のＵ点インターフェースをＳ／Ｔ点インターフェースに変換しない、請求項１または２記載の無線基地局。
【請求項４】
前記無線基地局は、さらに
受信した音声信号に対して、エコーキャンセル処理とＡＤＰＣＭトランスデコード処理をするディジタル・シグナル・プロセッサを備え、
前記処理遅延時間は、前記回線インタフェースから前記ディジタル・シグナル・プロセッサへ信号を伝送する時間と、前記ディジタル・シグナル・プロセッサで処理する時間と、前記ディジタル・シグナル・プロセッサから前記無線インタフェースへ信号を伝送する時間とを含む、請求項１または２記載の無線基地局。
【請求項５】
前記回線インタフェースは、時分割多重されない通話路で、前記ディジタル・シグナル・プロセッサへ信号を伝送し、
前記ディジタル・シグナル・プロセッサは、時分割多重されない通話路で、前記無線インタフェースへ信号を伝送する、請求項１または２記載の無線基地局。
【発明の詳細な説明】
【技術分野】
【０００１】
本発明は、無線基地局に関し、特にＩＳＤＮ（Integrated Services Digital Network）回線から信号を受信し、移動局へ受信した信号を含むＴＤＭＡ／ＴＤＤ（Time Division Multiple Access -Time Division Duplex）フレームを無線送信する無線基地局に関する。
【背景技術】
【０００２】
従来から、ＩＳＤＮ回線から信号を受信し、移動局へ受信した信号を含むＴＤＭＡ／ＴＤＤフレームを無線送信する無線基地局が知られている（たとえば、特許文献１（特開平３−２８３９２４号公報）を参照）。
【０００３】
図８は、従来の無線基地局の構成を表わす図である。
図９は、従来の無線基地局内の信号のタイミングチャートである。
【０００４】
ＩＳＤＮ回線では、送受信を圧縮した３２０ｋｂｐｓの速度で信号が伝送される。
図９に示すように、１フレームは２．５ｍｓｅｃであり、上り伝送と下り伝送が時間軸で分けられている。１バーストが約１．１７９ｍｓｅｃで３７７ビットを伝送する。伝送されるデータは、２つの通信チャネル（２Ｂ）と１つの制御チャネル（Ｄ）である。各受信フレームの１つの通信チャネル（１Ｂ）の信号は、２０バイト長である。図９では、２０バイトの通信チャネル（１Ｂ）の信号の流れを表わしている。
【０００５】
ＤＳＵ（Digital Service Unit）１０は、ＩＳＤＮ回線のＵ点インタフェースをＳ／Ｔ点インタフェースに変換することによって、上りと下りをそれぞれ別ラインに分離し伸張することで伝送速度も１９２ｋｂｐｓの速度に変換される。
【０００６】
Ｉ′−ＬＳＩ１１は、ＤＳＵ１０のＳ／Ｔ点の信号と装置内部のデータとのインタフェースを行うブロックである。Ｉ′−ＬＳＩ１１は、通信チャネル（２Ｂ）の信号をＴＳＷ１９との間でやりとりする。また、Ｉ′−ＬＳＩ１１は、網クロック信号を抽出して、網同期回路１７へ抽出した８ｋＨｚの網クロック信号を送る。
【０００７】
網同期回路１７は、Ｉ′−ＬＳＩ１１がＩＳＮＤ回線から抽出した８ｋＨｚの網クロック信号を受けて、これに同期した装置内部で必要な様々なクロック信号を生成する。
【０００８】
フレーマ回路１８は、網同期回路１７で生成したクロック信号に基づいて、Ｉ′−ＬＳＩ１１、ＴＤＭＡ／ＴＤＤ部２０、ＴＳＷ１９、エコーキャンセラ１５、ＡＤＰＣＭトランスコーダ２４などの様々なブロックにおいて必要となるフレーム信号を生成する。
【０００９】
ＴＳＷ１９は、ハイウェイと呼ばれる時分割多重された通話路を通じて各ブロックと通信する。通話路で伝送されるフレームは、３２タイムスロットからなり、周期が１２５μｓｅｃであり、伝送速度は２．０４８ＭＨｚである。ＴＳＷ１９は、あるタイムスロットで受信した信号を別のタイムスロットに入れ替えて送信することによって、ブロック間の交換接続を行う。
【００１０】
Ｉ′−ＬＳＩ１１とＴＳＷ１９との間で通話路が接続されて（通話路１ｉ）、Ｉ′−ＬＳＩ１１からＴＳＷ１９に信号が送信される。
【００１１】
音声通話では、エコー信号を除去するため、ＴＳＷ１９とエコーキャンセラ１５との間で通話路が接続されて（通話路２ｏ，２ｉ）、ＴＳＷ１９とエコーキャンセラ１５との間で信号が送受信される。
【００１２】
また、音声通話では、Ｉ′−ＬＳＩ１１の通信チャネルは、ＰＣＭ符号の音声信号であるため、ＡＤＰＣＭ符号へ変換するため、ＴＳＷ１９とＡＤＰＣＭトランスコーダ２４との間で通話路が接続されて（通話路３ｏ，３ｉ）、ＴＳＷ１９とＡＤＰＣＭトランスコーダ２４の間で信号が送受信される。
【００１３】
その後、ＴＳＷ１９は、無線側のＴＤＭＡ／ＴＤＤ部２０との間で通話路を接続して（通話路４ｏ）、信号をＴＤＭＡ／ＴＤＤ部２０へ送信する。
【００１４】
ＴＤＭＡ／ＴＤＤ部２０は、１スロットの５ｍｓｅｃで４０バイト分のデータを伝送するため、４０バイトが溜まるのを待ってから送信する。すなわち、１個のＩＳＤＮフレームのＢチャネルの信号は２０バイトであるので、ＴＤＭＡ／ＴＤＤ部２０は、ＩＳＤＮフレーム２つ分のＢチャネルの信号を受信してから、ＴＤＭＡ／ＴＤＤフレームの予め定められた通信スロット（図９では下りスロット（１））に受信した４０バイト分の信号を割当てて、無線モジュール２５、アンテナ２８を通じて送信する。
【先行技術文献】
【特許文献】
【００１５】
【特許文献１】特開平３−２８３９２４号公報
【発明の概要】
【発明が解決しようとする課題】
【００１６】
従来では、無線基地局では、ＩＳＤＮ回線から受信した信号を移動局へ無線送信するまでに、無線基地局内部で時間軸的に伸張してから様々な処理を行っていた。
【００１７】
まず、ＤＳＵ１０がＩＳＤＮ回線のＵ点インタフェースをＳ／Ｔ点インタフェースに変換することによって、伝送速度が１９２ｋｂｐｓに速度変換される。その結果、受信フレームの末尾のデータは、受信フレームの先頭から２．５ｍｓｅｃ遅れて、Ｉ′−ＬＳＩ１１へ届くことになる。
【００１８】
次に、Ｉ′−ＬＳＩ１１、エコーキャンセラ１５、ＡＤＰＣＭトランスコーダ２４、ＴＤＭＡ／ＴＤＤ部の間の通信は、通話ハイウェイと呼ばれる時分割多重化された通話路を管理するＴＳＷ１９で中継されるため、伝搬遅延が発生する。
【００１９】
さらに、ＴＤＭＡ／ＴＤＤ部２０は、予め定められた通話スロットに受信した通話チャネル（Ｂチャネル）の信号を割当てる。したがって、ＴＤＭＡ／ＴＤＤ部２０が通話チャネル（Ｂチャネル）の信号を受取ったタイミングと、予め定められた通話スロットのタイミングとが離れている場合に、ＴＤＭＡ／ＴＤＤ部２０から信号が出力されるまでに遅延が生じる。
【００２０】
以上の結果、ＩＳＤＮ回線から信号を受信してから、移動局へ無線送信するまでの時間が長くなる。
【００２１】
それゆえに、本発明の目的は、ＩＳＤＮ回線から受信した信号を少ない遅延量で移動局へ無線送信することができる無線基地局を提供することである。
【課題を解決するための手段】
【００２２】
上記課題を解決するために、本発明は、ＩＳＤＮ回線から信号を受信し、移動局へ受信した信号を含むＴＤＭＡ／ＴＤＤフレームを無線送信するスレーブの無線基地局であって、ＩＳＤＮ回線のＵ点インターフェースを終端制御するディジタル回線終端部と、ＩＳＤＮ回線からＩＳＤＮフレームを受信し、ＩＳＤＮフレームに含まれるＢチャネルの信号を出力する回線インタフェースと、受信したＩＳＤＮフレームの先頭位置のタイミングを検出する第１のフレーム検出部と、送信するＴＤＭＡ／ＴＤＤフレームの先頭位置のタイミングを検出する第２のフレーム検出部と、ＩＳＤＮフレームの先頭位置のタイミングとＴＤＭＡ／ＴＤＤフレームの先頭位置のタイミングとの時間差を算出するフレーマ回路と、時間差およびディジタル回線終端部で受信した信号を処理するための処理遅延時間の合計に基づいて、内部遅延時間が最小となるＴＤＭＡ／ＴＤＤフレームの通話スロットを選択する選択部と、連続する２つのＩＳＤＮフレームのＢチャネルの信号をＴＤＭＡ／ＴＤＤフレームの選択した通話スロットに割当てる無線インタフェースと、ＴＤＭＡ／ＴＤＤフレームの信号を無線信号に変換する無線モジュールとを備える。
【発明の効果】
【００２３】
本発明の無線基地局によれば、ＩＳＤＮ回線から受信した信号を少ない遅延量で移動局へ無線送信することができる。
【図面の簡単な説明】
【００２４】
【図１】第１の実施形態の無線基地局の構成を表わす図である。
【図２】スロット選択のためのテーブルを表わす図である。
【図３】第１の実施形態の無線基地局内の信号のタイミングチャートである。
【図４】第１の実施形態の無線基地局の動作手順を表わすフローチャートである。
【図５】第２の実施形態の無線基地局の構成を表わす図である。
【図６】第２の実施形態の無線基地局内の信号のタイミングチャートである。
【図７】第２の実施形態の無線基地局の動作手順を表わすフローチャートである。
【図８】従来の無線基地局の構成を表わす図である。
【図９】従来の無線基地局内の信号のタイミングチャートである。
【発明を実施するための形態】
【００２５】
以下、本発明の実施形態について図面を参照して説明する。
［第１の実施形態］
図１は、第１の実施形態の無線基地局の構成を表わす図である。
【００２６】
この無線基地局は、マスター基地局から送信されるフレームに同期して、自身のフレームの送信タイミングの同期をとるスレーブ基地局がある。
【００２７】
図１を参照して、この無線基地局９１は、ＤＳＵ３０と、Ｉ′−ＬＳＩ３１と、ＣＰＵ（Central Processing Unit）３５と、網同期回路（ＰＬＬ）３７と、フレーマ回路３８と、ＤＳＰ（Digital Signal Processor）３９と、ＴＤＭＡ／ＴＤＤ部４２と、無線モジュール４６と、アンテナ４８とを備える。
【００２８】
ＤＳＵ３０は、ＩＳＤＮ回線のＵ点インタフェースを終端制御するディジタル回線終端部である。
【００２９】
ＤＳＵ３０とＩ′−ＬＳＩ３１とのインタフェースはＵ点と同じ３２０ｋｂｐｓでの通信を行う。ＤＳＵ３０は、ＩＳＤＮ回線のＵ点インタフェースをＳ／Ｔ点インタフェースに変換することなく、Ｉ′−ＬＳＩ３０と通信する。
【００３０】
Ｉ′−ＬＳＩ３１は、ＩＳＤＮユーザ・網インターフェース制御を行うＬＳＩであって、網クロック抽出部３２と、フレーム検出部３３と、回線Ｉ／Ｆ３４とを含む。
【００３１】
網クロック抽出部３２は、ＤＳＵ３０から送られる信号から網クロック信号を抽出して、抽出した網クロック信号を網同期回路３７へ送る。
【００３２】
フレーム検出部３３は、ＩＳＤＮフレームの先頭位置のタイミングを検出して、先頭位置のタイミングを表わすクロック信号ＣＬＫ１を出力する。ＩＳＤＮフレームは、２．５ｍｓ周期で送信されるので、先頭位置を表わすクロック信号ＣＬＫ１の周波数は４００Ｈｚとなる。
【００３３】
回線Ｉ／Ｆ３４は、ＩＳＤＮ回線に接続し呼制御情報および通信（通話）情報を送受信する。回線Ｉ／Ｆ３４は、ＩＳＤＮ回線からＩＳＤＮフレームを受信し、ＩＳＤＮフレームに含まれるＢチャネルの信号を出力する。
【００３４】
網同期回路３７は、網クロック抽出部３２が回線から抽出した８ｋＨｚの網クロック信号を受けて、これに同期した装置内部で必要な様々なクロック信号を生成する。
【００３５】
ＤＳＰ３９は、音声通話で必要なエコーキャンセラ４０と、ＡＤＰＣＭ（Adaptive Differential Pulse Code Modulation）トランスコーダ４１を備える。
【００３６】
ＤＳＰ３９と回線Ｉ／Ｆとの間は、通話路１ｏ、１ｉで接続される。ＤＳＰ３９と、無線Ｉ／Ｆ４５との間は、通話路４ｉ、４ｏで接続される。通話路１ｏ、１ｉ、通話路４ｉ、４ｏでの伝送は、時分割多重されない通話路である。
【００３７】
ＤＳＰ３９は、通話路１ｏを介してＩ′−ＬＳＩ３１からＢチャネルの信号を受信する。ＤＳＰ３９は、通話路４ｉを介してＴＤＭＡ／ＴＤＤ部４２へＢチャネルの信号を送信する。
【００３８】
エコーキャンセラ４０は、通話路１ｉを通じて受けた音声信号からエコーを除去する。
ＡＤＰＣＭトランスコーダ４１は、エコーが除去された音声信号をＡＤＰＣＭ方式でディジタル信号に変換する。
【００３９】
ＴＤＭＡ／ＴＤＤ部４２は、無線送受信制御部４３と、フレーム検出／制御部４４と、無線Ｉ／Ｆと４５とを含む。
【００４０】
無線送受信制御部４３は、無線信号の送受信を制御する。
フレーム検出／制御部４４は、ＴＤＭＡ／ＴＤＤフレームの先頭位置のタイミングを検出する。フレーム検出／制御部４４は、無線送受信制御部４３にフレームの受信タイミングを変化させながら受信動作をさせる。フレーム検出／制御部４４は、受信エラーが最小となるときの受信タイミングを特定することによって、ＴＤＭＡ／ＴＤＤフレームの先頭位置のタイミングを検出して、先頭位置を表わすクロック信号ＣＬＫ２を出力する。ＴＤＭＡ／ＴＤＤフレームは、５ｍｓ周期で送信されるので、先頭位置を表わすクロック信号ＣＬＫ２の周波数は２００Ｈｚとなる。
【００４１】
無線Ｉ／Ｆ４５は、回線Ｉ／Ｆ３４から送られた信号、または回線Ｉ／Ｆ３４からＤＳＰ３９を経由して送られた信号を無線モジュール４６へ出力する。無線Ｉ／Ｆ４５は、連続する２つのＩＳＤＮフレームのＢチャネルの信号をＴＤＭＡ／ＴＤＤフレームの、スロット選択部３６で選択された通話スロットに割当てる。
【００４２】
無線モジュール４６は、無線Ｉ／Ｆ４５から出力されるＴＤＭＡ／ＴＤＤフレームの信号を増幅、変調、周波数変換して無線信号を生成してアンテナ４８へ出力する。
【００４３】
フレーマ回路３８は、クロック信号ＣＬＫ１とクロック信号ＣＬＫ２とに基づいて、ＩＳＤＮフレームの先頭位置のタイミングとＴＤＭＡ／ＴＤＤフレームの先頭位置のタイミングとの時間差を算出して、内部のレジスタに時間差を表わす情報を格納する。
【００４４】
ＣＰＵ３５は、スロット選択部３６として機能する。スロット選択部３６は、フレーマ回路３８のレジスタからフレームの先頭位置の時間差を表わす情報を読出し、この時間差およびＤＳＵ３０で受信した信号を処理するための処理遅延時間の合計に基づいて、内部遅延時間が最小となるＴＤＭＡ／ＴＤＤフレームの通話スロットを選択する。処理遅延時間の合計は、予め算出されて、図示しないメモリに記憶されている。内部遅延時間は、連続する２つのＩＳＤＮフレームのうちの先頭のＩＳＤＮフレームの受信フレームの先頭を受信してから、連続する２つのＩＳＤＮフレームのＢチャネルのデータを送信するまでの時間である。
【００４５】
フレームの先頭位置のタイミングの時間差ｔ２（ｍｓｅｃ）を０〜２．５ｍｓｅｃとし、処理遅延時間の合計ｔ１（ｍｓｅｃ）を０〜２．５ｍｓｅｃであるとしたときに、スロット選択部３６は、以下の式（Ａ１）を用いて、ｙ（ｍｓｅｃ）を計算する。
【００４６】
ｙ＝ｔ１＋２．５／２−ｔ２  ・・・（Ａ１）
スロット選択部３６は、図２に示すテーブルに従って、スロットを選択する。
【００４７】
スロット選択部３６は、ｙの値に基づいて、内部遅延時間ｔ３が最小となるように、下りスロットを選択する。図２のテーブルは、ｙの値に対して、内部遅延時間ｔ３が最小となる下りスロットを定めたものである。
【００４８】
スロット選択部３６は、ｙの値が０．６２５ｍｓｅｃ未満であれば下りスロット（２）を選択する。スロット選択部３６は、ｙの値が０．６２５ｍｓｅｃ以上かつ１．２５ｍｓｅｃ未満であれば下りスロット（３）を選択する。スロット選択部３６は、ｙの値が１．２５ｍｓｅｃ以上かつ１．８７５ｍｓｅｃ未満であれば下りスロット（４）を選択する。スロット選択部３６は、ｙの値が１．８７５ｍｓｅｃ以上かつ２．５ｍｓｅｃ未満であれば下りスロット（１）を選択する。
【００４９】
図３は、第１の実施形態の無線基地局内の信号のタイミングチャートである。
スロット選択部３６は、ｔ１およびｔ２を用いて、式（Ａ１）に基づいて、ｙの値を算出し、図２に示すテーブルに従って、下りスロットを選択する。ここでは、ｙの値が１．２５ｍｓｅｃ以上かつ１．８７５ｍｓｅｃ未満であるとする。その結果、図３では下りスロット（４）が選択されて、下りスロット（４）で信号が伝送されている。
【００５０】
本実施の形態では、従来のようにＵ点をＳ／Ｔ点に変換しないので、ＤＳＵ３０とＩ′−ＬＳＩ３１との間で遅延が生じない。
【００５１】
従来は、無線の電波状況に応じて選択されたスロットで送信されていたため、そのようにして選択されたスロットがどこにあるかによって、内部遅延時間ｔ３が長時間となる場合もあったが、本実施の形態では、前述のように、式（Ａ１）のｙに基づいて、内部遅延時間ｔ３が最小となるような下りスロット（４）が選択される。
【００５２】
さらに、従来では、ＴＳＷ１９によって多重化された信号が高速でなかったたため、遅延量が大きくなっていたが、本実施の形態では、回線Ｉ／Ｆ３４とＤＳＰ３９の間、およびＤＳＰ３０と無線Ｉ／Ｆ４５の間は、ＴＳＷを使用せずに、多重化しない通信路で信号が送受信されるので、遅延量が少ない。
【００５３】
図４は、第１の実施形態の無線基地局の動作手順を表わすフローチャートである。
まず、ＤＳＵ３０が、ＩＳＤＮフレームを受信する（ステップＳ１０１）。
【００５４】
次に、網クロック抽出部３２および網同期回路３７がクロックを生成して、他のブロックへ供給する（ステップＳ１０２）。
【００５５】
次に、フレーム検出部３３は、連続する２つのＩＳＤＮフレームのうちの先頭のＩＳＤＮフレームの先頭位置のタイミングを検出する（ステップＳ１０３）。
【００５６】
次に、フレーム検出／制御部４４は、ＴＤＭＡ／ＴＤＤフレームの先頭位置のタイミングを検出する（ステップＳ１０４）。
【００５７】
次に、フレーマ回路３８は、ＩＳＤＮフレームの先頭位置のタイミングとＴＤＭＡ／ＴＤＤフレームの先頭位置のタイミングとの時間差を算出する（ステップＳ１０５）。
【００５８】
次に、スロット選択部３６は、フレーマ回路３８で算出された時間差と、ＤＳＵ３０で受信した信号を処理するための処理遅延時間の合計に基づいて、内部遅延時間が最小となるＴＤＭＡ／ＴＤＤフレームの通話スロットを選択する（ステップＳ１０６）。
【００５９】
次に、回線Ｉ／Ｆ３４は、ＩＳＤＮフレームを受信し、通話路１ｉを介して、ＩＳＤＮフレームに含まれるＢチャネルの信号をＤＳＰ３９へ出力する（ステップＳ１０７）。
【００６０】
次に、ＤＳＰ３９内のエコーキャンセラ４０は、Ｂチャネルの信号（音声信号）のエコー信号を除去する（ステップＳ１０８）。
【００６１】
次に、ＤＳＰ３９内のＡＤＰＣＭトランスコーダ４１は、エコー信号が除去された信号をＡＤＰＣＭ方式でディジタル信号(ＡＤＰＣＭ信号）に変換する（ステップＳ１０９）。
【００６２】
次に、ＤＳＰ３９は、通話路４ｏを介して、Ｂチャネルの信号（ＡＤＰＣＭ信号）を無線Ｉ／Ｆ４５へ出力する（ステップＳ１１０）。
【００６３】
無線Ｉ／Ｆ４５は、ＤＳＰ４５から、連続する２つのＩＳＤＮフレームのＢチャネルの信号（ＡＤＰＣＭ信号）を受取った場合に（ステップＳ１１１でＹＥＳ）、これらの２つのＩＳＤＮフレームのＢチャネルの信号をＴＤＭＡ／ＴＤＤフレーム内のステップＳ１０６で選択された通話スロットに割当てる（ステップＳ１１３）。
【００６４】
次に、無線モジュール４６は、無線Ｉ／Ｆ４５から出力されるＴＤＭＡ／ＴＤＤフレームの信号を増幅、変調、周波数変換して無線信号を生成してアンテナ４８へ出力する（ステップＳ１１４）。
【００６５】
［第２の実施形態］
図５は、第２の実施形態の無線基地局の構成を表わす図である。
【００６６】
この無線基地局は、ＧＰＳ衛星からの基準時刻信号に同期して、送受信するＴＤＭＡ／ＴＤＤフレームの位置を決定するマスター基地局である。
【００６７】
図５を参照して、この無線基地局９２が図１の無線基地局９１と相違する点は、アンテナ４９と、ＧＰＳモジュール４７と、スロット選択部１４６である。
【００６８】
アンテナ４９およびＧＰＳモジュール４７は、ＧＰＳ衛星からの軌道情報を受信する。ＧＰＳモジュール４７は、軌道情報から基準時刻信号ＢＣＬＫ、すなわち１ＰＰＳの信号（１秒周期の信号）を生成する。
【００６９】
スロット選択部１４６は、ＩＳＤＮフレームの先頭位置およびＤＳＵ３０で受信した信号を処理するための処理遅延時間の合計に基づいて、基準時刻信号ＢＣＬＫに同期し、かつ内部遅延時間が最小となるようなタイミングで、選択したまたは予め定められた下りスロットの信号が送信されるようにタイミングを決定する。
【００７０】
空きスロットで受信したＢチャネルの信号を送信するような場合には、選択した下りスロットのタイミングで信号が送信されるようにタイミングが決定される。
【００７１】
スロットに空きに関係なく、下りスロット（１）〜（４）の中で予め定められた下りスロット（本実施の形態では、一例として下りスロット（１）とする）でＢチャネルの信号を送信するような場合には、予め定められた下りスロットで信号が送信されるようにタイミングが決定される。
【００７２】
図６は、第２の実施形態の無線基地局内の信号のタイミングチャートである。
図６に示すように、内部遅延時間ｔ３（ｍｓｅｃ）は、７．５＋ｔ１＋αで表わされる。ここでは、予め定められた下りスロット（１）でＢチャネルの信号を送信されるとする。αの値が小さいほど、内部遅延時間が小さくなる。基準時刻信号ＢＬＫに同期して、かつ内部遅延時間ｔ３が最小のタイミング（つまりαの値が小さいタイミング）が下りスロット（１）となるように、タイミングが決定される。ここでは、α＝０が基準時刻信号ＢＬＫに同期するタイミングであるとする。その結果、内部遅延時間ｔ３が７．５＋ｔ１の時点で下りスロット（１）の信号が送信されるようにタイミングが決定される。
【００７３】
図７は、第２の実施形態の無線基地局の動作手順を表わすフローチャートである。
まず、ＤＳＵ３０が、ＩＳＤＮフレームを受信する（ステップＳ１０１）。
【００７４】
次に、網クロック抽出部３２および網同期回路３７がクロックを生成して、他のブロックへ供給する（ステップＳ１０２）。
【００７５】
次に、フレーム検出部３３は、連続する２つのＩＳＤＮフレームのうちの先頭のＩＳＤＮフレームの先頭位置のタイミングを検出する（ステップＳ１０３）。
【００７６】
次に、ＧＰＳモジュール４７は、ＧＰＳ衛星からの軌道情報を受信し、軌道情報から基準時刻信号ＢＣＬＫを生成する（ステップＳ２０４）。
【００７７】
次に、スロット選択部１３６は、ＩＳＤＮフレームの先頭位置のタイミングと、ＤＳＵ３０で受信した信号を処理するための処理遅延時間の合計に基づいて、基準時刻信号ＢＣＬＫに同期し、かつ内部遅延時間が最小となるようなタイミングで、選択したまたは予め定められた下りスロットの信号が送信されるようにタイミングを決定する（ステップＳ２０６）。
【００７８】
次に、回線Ｉ／Ｆ３４は、ＩＳＤＮフレームを受信し、通話路１ｉを介してＩＳＤＮフレームに含まれるＢチャネルの信号を出力する（ステップＳ１０７）。
【００７９】
次に、ＤＳＰ３９内のエコーキャンセラ４０は、Ｂチャネルの信号（音声信号）のエコー信号を除去する（ステップＳ１０８）。
【００８０】
次に、ＤＳＰ３９内のＡＤＰＣＭトランスコーダ４１は、エコー信号が除去された信号をＡＤＰＣＭ方式でディジタル信号(ＡＤＰＣＭ信号）に変換する（ステップＳ１０９）。
【００８１】
次に、ＤＳＰ３９は、通話路４ｏを介して、ＡＤＰＣＭ信号を無線Ｉ／Ｆ４５へ出力する（ステップＳ１１０）。
【００８２】
無線Ｉ／Ｆ４５は、ＤＳＰ４５から、連続する２つのＩＳＤＮフレームのＢチャネルの信号（ＡＤＰＣＭ信号）を受取った場合に（ステップＳ１１１でＹＥＳ）、これらの２つのＩＳＤＮフレームのＢチャネルの信号をＴＤＭＡ／ＴＤＤフレーム内のステップＳ１０６で選択された通話スロットに割当てる（ステップＳ１１２）。
【００８３】
次に、無線モジュール４６は、無線Ｉ／Ｆ４５から出力されるＴＤＭＡ／ＴＤＤフレームの信号を増幅、変調、周波数変換して無線信号を生成してアンテナ４８へ出力する（ステップＳ１１３）。
【００８４】
以上のように、第２の実施形態によれば、第１の実施形態と同様に、内部遅延時間を少なくすることができる。また、第２の実施形態によれば、ＴＤＭＡ／ＴＤＤフレームの位置を自局で決められるので、第１の実施形態よりもさらに内部遅延時間を少なくできる場合がある。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８６】
１０，３０  ＤＳＵ、１１，３１  Ｉ′−ＬＳＩ、３２  網クロック抽出部、３３  フレーム検出部、３４  回線Ｉ／Ｆ、１５，３５  ＣＰＵ、３６，１３６  スロット選択部、１７，３７  網同期回路、１９  ＴＳＷ、３８  フレーマ回路、３９  ＤＳＰ、１５，４０  エコーキャンセラ、２４，４１  ＡＤＰＣＭトランスコーダ、２０，４２  ＴＤＭＡ／ＴＤＤ部、４３  無線送受信制御部、４４  フレーム制御／検出部、４５  無線Ｉ／Ｆ、２５，４６  無線モジュール、４７  ＧＰＳモジュール、２８，４８，４９  アンテナ、９１，９２，９３  無線基地局。
【図１】
2013074520.tif 000003
【図２】
2013074520.tif 000004
【図３】
2013074520.tif 000005
【図４】
2013074520.tif 000006
【図５】
2013074520.tif 000007
【図６】
2013074520.tif 000008
【図７】
2013074520.tif 000009
【図８】
2013074520.tif 000010
【図９】
2013074520.tif 000011